【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
共通の処理シートに印刷される墨字情報および打刻される点字情報を、表示画面上にプレビュー表示する情報処理装置において、
前記墨字情報をプレビュー表示する墨字プレビュー手段と、
前記点字情報をプレビュー表示する点字プレビュー手段と、
前記墨字プレビュー手段および前記点字プレビュー手段を制御し、前記処理シートに印刷される前記墨字情報および打刻される前記点字情報の少なくとも一部が重畳して表示される場合、前記墨字情報のみの表示と、前記点字情報のみの表示と、前記墨字情報および前記点字情報の表示と、を選択的に切替え可能なプレビュー切替え手段と、を備えたことを特徴とする情報処理装置。
【請求項２】
前記点字プレビュー手段は、前記墨字情報および前記点字情報の表示を行う場合、前記点字情報として、点字を構成する打刻点の輪郭を白抜きで表示することを特徴とする請求項１に記載の情報処理装置。
【請求項３】
共通の処理シートに印刷される墨字情報および打刻される点字情報を、表示画面上でプレビュー表示する情報処理方法において、
前記処理シートに印刷される前記墨字情報および打刻される前記点字情報の少なくとも一部が重畳して表示される場合、切替え操作により、前記墨字情報のみと、前記点字情報のみと、前記墨字情報および前記点字情報と、を選択的にプレビュー表示することを特徴とする情報処理方法。
【請求項４】
コンピュータを、請求項１または２に記載の情報処理装置における各手段として機能させるためのプログラム。
【手続補正２】
【補正対象書類名】明細書
【補正対象項目名】０００５
【補正方法】変更
【補正の内容】
【０００５】
本発明の情報処理装置は、共通の処理シートに印刷される墨字情報および打刻される点字情報を、表示画面上にプレビュー表示する情報処理装置において、墨字情報をプレビュー表示する墨字プレビュー手段と、点字情報をプレビュー表示する点字プレビュー手段と、墨字プレビュー手段および点字プレビュー手段を制御し、処理シートに印刷される墨字情報および打刻される点字情報の少なくとも一部が重畳して表示される場合、墨字情報のみの表示と、点字情報のみの表示と、墨字情報および点字情報の表示と、を選択的に切替え可能なプレビュー切替え手段と、を備えたことを特徴とする。
【手続補正３】
【補正対象書類名】明細書
【補正対象項目名】０００６
【補正方法】変更
【補正の内容】
【０００６】
また、本発明の情報処理方法は、共通の処理シートに印刷される墨字情報および打刻される点字情報を、表示画面上でプレビュー表示する情報処理方法において、処理シートに印刷される墨字情報および打刻される点字情報の少なくとも一部が重畳して表示される場合、切替え操作により、墨字情報のみと、点字情報のみと、墨字情報および点字情報と、を選択的にプレビュー表示することを特徴とする。
【手続補正４】
【補正対象書類名】明細書
【補正対象項目名】００１０
【補正方法】変更
【補正の内容】
【００１０】
本発明のプログラムは、コンピュータを、上記のいずれか１に記載の情報処理装置における各手段として機能させることを特徴とする。
【手続補正５】
【補正対象書類名】明細書
【補正対象項目名】００１５
【補正方法】変更
【補正の内容】
【００１５】
また、装置ケース２の後部上面右部には、墨字印刷部１２０から排出された印刷／切断済のテープＴすなわちラベルを手差し挿入する（ユーザがラベルを指先で把持し点字打刻部１５０に挿入する）打刻テープ挿入部３１、および点字打刻されたテープＴが後方に排出される打刻テープ排出部３２がそれぞれ形成されており、打刻テープ挿入部３１と打刻テープ排出部３２との間に点字打刻部１５０の主装置が内蔵されている。
【手続補正６】
【補正対象書類名】明細書
【補正対象項目名】００２０
【補正方法】変更
【補正の内容】
【００２０】
カートリッジ装着部６には、ヘッドカバー１３内にサーマルヘッドから成る印刷ヘッド１４が内蔵されたヘッドユニット１５と、印刷ヘッド１４に対峙するプラテン駆動軸（図示省略）と、後述のインクリボンＲを巻き取る巻き取り駆動軸（図示省略）と、後述のテープリール１８の位置決め突起１９と、を備えている。また、カートリッジ装着部６の下側には、プラテン駆動軸および巻き取り駆動軸を回転させる印刷送りモータ１２１（図７参照）および動力伝達機構（図示省略）が内蔵されている。
【手続補正７】
【補正対象書類名】明細書
【補正対象項目名】００２１
【補正方法】変更
【補正の内容】
【００２１】
テープカートリッジＣは、カートリッジケース２０内部の上部中央部に、一定の幅のテープＴを巻回したテープリール１８と、右下部にインクリボンＲを巻回したリボンリール２１とを収容して構成されており、テープＴとインクリボンＲは同じ幅で構成されている。また、テープリール１８の左下部には上記ヘッドユニット１５を覆うヘッドカバー１３に差し込むための貫通孔２２が形成されており、テープＴとインクリボンＲとが重なる部分に対応して、上記プラテン駆動軸に嵌合されて回転駆動するプラテンローラ２３が配置されている。一方、上記リボンリール２１に近接してリボン巻き取りリール２４が配置され、リボンリール２１から繰り出されたインクリボンＲは、貫通孔２２の周壁を周回するように送られ、リボン巻き取りリール２４に巻き取られるようになっている。
【手続補正８】
【補正対象書類名】明細書
【補正対象項目名】００２８
【補正方法】変更
【補正の内容】
【００２８】
次に、図４を参照し、打刻ユニット８０の構成について説明する。図４（ａ）は打刻ユニット８０を図３における上側から見た平面図であり、図４（ｂ）は打刻ユニット８０の断面図である。図４（ａ）は、墨字印刷後のテープＴ（テープ幅１２ｍｍ）が、打刻テープ挿入部３１から手差し挿入によりテープ走行路７０に送り込まれ、打刻テープ排出部３２に向かってテープＴが送られていく状態を示したものである。
【手続補正９】
【補正対象書類名】明細書
【補正対象項目名】００２９
【補正方法】変更
【補正の内容】
【００２９】
図４に示すとおり、打刻ユニット８０は、テープＴの裏面側に配設されると共にガイドブロックに上記３個の打刻ピン４１を組み込んだ打刻部材８１（打刻ヘッド）と、テープＴを挟んで打刻部材（打刻ピン４１）８１と対向する位置に設けられた打刻受け部材８２と、を備えている。
【手続補正１０】
【補正対象書類名】明細書
【補正対象項目名】００３０
【補正方法】変更
【補正の内容】
【００３０】
打刻部材８１は、テープ幅方向（図４（ａ）における上下方向）に沿って、２．４ｍｍの間隔で配列された３個の打刻ピン４１を備えており、６個の打刻ポイント３０１（図５参照）のうち縦３個の打刻ポイント３０１に対応していると共に、ソレノイド４７を駆動源とした直線運動をガイドするガイド部材４５によって、テープＴに対し垂直に保持されている。打刻ピン４１の頭部４１ａは、打刻した打刻凸部３０２の形状が角の丸まった円筒形となるように、角の丸まった円筒形に形成されている。
【手続補正１１】
【補正対象書類名】明細書
【補正対象項目名】００３５
【補正方法】変更
【補正の内容】
【００３５】
次に、図５を参照し、テープＴ上に形成される点字Ｂ（６点点字Ｂ）について説明する。図５（ａ）は、文字情報「し」を表す点字（点字データ）Ｂを示す図である。図５（ａ）に示すように、６点点字Ｂは、縦３個×横２個の６個の点（打刻ドット）で１マス３００が構成され、１マス３００で、１文字または濁点等の属性が表現される。なお、点字Ｂには、仮名文字や数字等を表す６点点字の他、縦４個×横２個の８個のビットパターンの点で漢字を表す８点点字も使用されている。本実施形態のラベル装置１は、６点点字を打刻するものであるが、もちろん８点点字を打刻可能な構成であってもよい。
【手続補正１２】
【補正対象書類名】明細書
【補正対象項目名】００３６
【補正方法】変更
【補正の内容】
【００３６】
６点点字Ｂは、１マス３００が縦３個×横２個の配置パターンで６個の打刻ポイント３０１ａ〜３０１ｆに分割されており、図５（ａ）の「し」では、６個の打刻ポイント３０１ａ〜３０１ｆのうち４個の打刻ポイント３０１ａ，３０１ｂ，３０１ｅ，３０１ｆが選択的に打刻されて、テープＴ上に４個の打刻凸部３０２ａ，３０２ｂ，３０２ｅ，３０２ｆが形成されている。また、６個の打刻凸部３０２は、縦方向のピッチが略２．４ｍｍ、横方向のピッチが略２．１ｍｍ、隣接マスの点までの（マス間）ピッチは略３．３ｍｍとなっている。
【手続補正１３】
【補正対象書類名】明細書
【補正対象項目名】００３７
【補正方法】変更
【補正の内容】
【００３７】
図５（ｂ）は、打刻凸部３０２の断面形状である。図５（ｂ）に示すように、打刻凸部３０２の形状は、角の丸まった円筒形である。なお、打刻凸部３０２の形状は、角の丸まった円筒形のものが良い（触感が良く好ましい）とされているが、他の形状、例えば半球形、円錐形、四角錐形等であってもよい。
【手続補正１４】
【補正対象書類名】明細書
【補正対象項目名】００５１
【補正方法】変更
【補正の内容】
【００５１】
続いて、ラベル作成装置１が有する処理モード（印刷モード）について説明する。ユーザは、図８に示す３つの処理モードの中から、キーボード３を用いたキー操作によって、所望の処理モードを選択することができる。第１処理モードは、墨字印刷および点字打刻の２つの処理を同一のテープＴに対して行うものであり、図８（ａ）に示すように、テープカートリッジＣ装着後、墨字印刷部１２０により墨字Ｐが印刷され、切断・排出されたテープＴを、さらに点字打刻挿入部３１（図１または図２参照）に挿入し、点字打刻部１５０により点字Ｂが打刻されることによって、墨字／点字併記ラベルが作成される。なお、第１処理モードでは、墨字印刷と点字打刻を、異なる情報に基づいて実行することも可能である。
【手続補正１５】
【補正対象書類名】明細書
【補正対象項目名】００５２
【補正方法】変更
【補正の内容】
【００５２】
第２処理モードは、墨字印刷処理のみをテープＴに対して行うものであり、図８（ｂ）に示すように、テープカートリッジＣ装着後、墨字印刷部１２０により墨字Ｐが印刷され、テープＴが切断・排出されることによって、墨字ラベルが作成される。また、第３処理モードは、点字打刻処理のみをテープＴに対して行うものであり、点字打刻挿入部３１へ短冊状のテープ（任意の長さにカットされたテープ）Ｔが手差しで挿入された後、点字打刻部１５０により点字Ｂが打刻されることによって、点字ラベルが作成される。
【手続補正１６】
【補正対象書類名】明細書
【補正対象項目名】００５３
【補正方法】変更
【補正の内容】
【００５３】
なお、第３処理モードの場合、手差し挿入のための短冊状のテープＴを入手するために、図８（ｃ）に点線で示すように、空印刷（テープ送りのみ）を行った後、切断・排出されたテープＴを、手差し挿入用の短冊状のテープＴとして利用してもよい。また、図示は省略するが、点字打刻部１５０の上流側にテープカートリッジＣを装着できる仕様とし、テープカートリッジＣから繰出された長尺状のテープＴに点字打刻を行わせることも可能である。
【手続補正１７】
【補正対象書類名】明細書
【補正対象項目名】００５５
【補正方法】変更
【補正の内容】
【００５５】
さらに、墨字／点字併記ラベルを作成する第１処理モードに設定した場合、ユーザはキーボード３を用いたキー操作によって、所望の印刷・打刻レイアウトを設定できる。図９に示すように、テープ幅が２４ｍｍであるテープＴ１の場合（図９（ａ）参照）、印刷配置部Ｅｐが上段、打刻配置部Ｅｂが下段（ａ−１）または印刷配置部Ｅｐが下段、打刻配置部Ｅｂが上段（ａ−２）のいずれかのレイアウトが選択できる。
【手続補正１８】
【補正対象書類名】明細書
【補正対象項目名】００５６
【補正方法】変更
【補正の内容】
【００５６】
また、テープ幅が１８ｍｍであるテープＴ２の場合にも（図９（ｂ）参照）、印刷配置部Ｅｐが上段、打刻配置部Ｅｂが下段（ｂ−１）または印刷配置部Ｅｐが下段、打刻配置部Ｅｂが上段（ｂ−２）のいずれかを選択できるが、この場合テープ幅に合わせて印刷配置部Ｅｐのテープ幅方向長さが短くなる。なお、これらのテープＴ１やテープＴ２の場合、上記のレイアウトに加え、所望のサイズに印刷した墨字の一部に点字を重ねるレイアウトも選択可能である。
【手続補正１９】
【補正対象書類名】明細書
【補正対象項目名】００５７
【補正方法】変更
【補正の内容】
【００５７】
テープ幅が１２ｍｍであるテープＴ３の場合（図９（ｃ）参照）、テープ幅が点字１マス３０１の大きさ（テープ幅方向の長さ）を打刻可能な最低の長さであるため（図６参照）、印刷配置部Ｅｐと打刻配置部Ｅｂとが重なりあったレイアウトのみが選択できる（但し、テープ長手方向に印刷配置部Ｅｐと打刻配置部Ｅｂとを並べて配置することは可能である）。